(57)【要約】【課題】機械室に設置される装置筐体の点検スペース及び設置面積を大幅に削減することにある。【解決手段】  エレベータ乗りかご１２を高速走行するために昇降路上部の機械室に設置された大型のエレベータの制御装置において、制御装置の装置筐体２１内に当該制御装置を構成する用品２〜７を収納すると共に、装置筐体２１の正面側に前開きする前面扉２４Ｌ，２４Ｒを取付け、かつ、前面扉から所定距離を隔てた後方の前記装置筐体２１内にリターンパネル２５を取付け、このリターンパネル２５に配線端子台を含む用品の操作及び点検に関連する用品を配置したエレベータの制御装置である。【選択図】図１
2006021922.tif 000002
【特許請求の範囲】
【請求項１】
エレベータ乗りかごを高速走行するために昇降路上部の機械室に設置された大型のエレベータの制御装置において、
前記制御装置の装置筐体内に当該制御装置を構成する用品を収納すると共に、前記筐体正面側に前開きする前面扉を取付け、かつ、当該前面扉から所定距離を隔てた後方の前記筐体内にリターンパネルを取付け、このリターンパネルに配線端子台を含む用品の操作及び点検に関連する前記用品を配置することを特徴とするエレベータの制御装置。
【請求項２】
エレベータ乗りかごを高速走行するために昇降路上部の機械室に設置された大型のエレベータの制御装置において、
前記制御装置の装置筐体内を少なくとも２つの領域に分け、その一方の領域に前記制御装置を構成する弱電に関連する弱電用品系、他方の領域に強電に関連する強電用品系を収納し、
また、前記筐体正面側に前開きする前面扉を取付け、かつ、当該前面扉から所定距離を隔てた後方の前記筐体内にリターンパネルを取付け、このリターンパネルには配線端子台を含む操作及び点検に関連する前記弱電用品系の一部の用品を配置することを特徴とするエレベータの制御装置。
【請求項３】
請求項１または請求項２に記載のエレベータの制御装置において、
前記リターンパネルの後部側の筐体内背面板側にオプションに関連する用品を配置することを特徴とするエレベータの制御装置。
【請求項４】
請求項１または請求項２に記載のエレベータの制御装置において、
前記配線端子台を含む用品の操作及び点検に関連する用品は、リターンパネルの片面または両面に配置することを特徴とするエレベータの制御装置。
【請求項５】
請求項１ないし請求項４の何れか一項に記載のエレベータの制御装置において、
前記リターンパネルは、前記用品の重みによるたわみを考慮し、複数に分割して前記用品を配置することを特徴とするエレベータの制御装置。
【請求項６】
請求項２に記載のエレベータの制御装置において、
前記制御装置の装置筐体内を少なくとも上下２つの領域に分け、下部領域に前記制御装置を構成する強電に関連する強電用品系を収納し、上部領域に前記制御装置を構成する弱電に関連する弱電用品系を収納することを特徴とするエレベータの制御装置。
【発明の詳細な説明】
【技術分野】
【０００１】
本発明は、エレベータ乗りかごを高速走行するために機械室に設置される大型のエレベータの制御装置に関する。
【背景技術】
【０００２】
近年、建物の高層化に伴い、エレベータ乗りかごを高速走行するために大型のエレベータ制御装置が用いられている。このエレベータの制御装置は、メインロープで乗りかごを吊り下げて昇降するために例えば４５ＫＷなどの高負荷容量の電動機が使用され、この高負荷容量の電動機とともに、昇降路上部の機械室に設置されている。
【０００３】
このエレベータの制御装置の一般的な電気構成としては、図４に三相単結線に示すように、三相交流電源１、コンタクタ２、高調波ノイズを除去する電源フィルタ３、三相交流電力を所定の直流電力に変換するコンバータ４、このコンバータ４で変換された直流電力に含まれるリップルを除去して平滑化する平滑コンデンサ５、この平滑化された直流電力を所定の交流電力に変換するインバータ６及びリアクトル７を有し、これら構成用品２〜７はそれぞれ三相分備えられている。また、コンバータ４及びインバータ６を制御するために制御回路８が設けられている。
【０００４】
なお、同図において、９は高負荷容量の電動機、１０は巻上機、１１はメインロープ、１２は乗りかご、１３はつり合いおもりである。
【０００５】
ところで、従来、高速走行用のエレベータの制御装置は、図５に示すように昇降路上部に複数の仕切板１５で仕切られた大型筐体１６が設置され、この大型筐体１６内に前述した構成用品２〜７が収納されている。この筐体１６の正面側に前開き（観音開き）する前面扉１７が取り付けられ、また筐体１６の背面側には点検などのときに取り外し可能にするためにネジ１８により背面板１９が取り付けられている。従って、この制御装置は、筐体１６の正面側及び背面側の何れからも構成用品２〜７の据付接続作業、点検、操作及び用品の交換作業が行える構成となっている。すなわち、構成用品１〜７は筐体１６の正面側及び背面側から作業しやすいように配置されている。
【０００６】
なお、前述した据付接続作業とは例えば三相交流電源１の電源ライン引き込み接続作業、テールコードの引き込み作業、電源フィルタ３の接続作業、電動機９への配線作業、各階乗場表示器等の配線接続などが挙げられる。点検とは例えばコンソールにてマイコンなどの制御回路８を用いて制御し、各種のデータを採取してエレベータが適正に運転動作を行っているか判断する作業である。操作とはコンバータ４やインバータ６の調整動作、乗りかご１２の荷重を検知する荷重検知器の荷重検知信号と乗りかご１２との走行速度との速度調整その他種々の操作がある。
【０００７】
また、機械室に設置される機器のレイアウトに関する技術として、機械室に設置される巻上機が昇降路壁寄りに配置し、これにより制御盤などの機器の保守スペースを確保するようにしたエレベータが提案されている（特許文献１）。
【０００８】
（特許文献１）
【特許文献１】特開２００１−３１３４９号
【発明の開示】
【発明が解決しようとする課題】
【０００９】
ところで、以上のようなエレベータの制御装置では、制御装置の筐体１６の正面側及び背面側の何れからも据付作業、点検、操作、用品の交換作業が可能な構成となっているので、以下のような問題が指摘されている。
【００１０】
（１）高速走行用の大型エレベータでは、各構成用品が大形であるだけでなく、各用品の据付作業、点検、操作に関する作業のし易さに重点を置いて各用品２〜７を配置することから、筐体１６が大型化する傾向にある。
【００１１】
（２）  各構成用品２〜７を収納する筐体１６の正面側及び背面側を開閉可能な構成としていることから、筐体１６の正面側だけでなく、点検，操作などのために筐体１６の背面側にも正面側と同等の点検スペースが必要となり、機械室における制御装置の設置面積が大きくなる問題がある。
【００１２】
本発明は以上のような事情に鑑みてなされたもので、機械室に設置される装置筐体の点検スペース及び設置面積を大幅に削減するエレベータの制御装置を提供することを目的とする。
【課題を解決するための手段】
【００１３】
上記課題を解決するために、本発明は、エレベータ乗りかごを高速走行するために昇降路上部の機械室に設置された大型のエレベータの制御装置において、前記制御装置の装置筐体内に当該制御装置を構成する用品を収納すると共に、前記筐体正面側に前開きする前面扉を取付け、かつ、当該前面扉から所定距離を隔てた後方の前記筐体内にリターンパネルを取付け、このリターンパネルに配線端子台を含む用品の操作及び点検に関連する前記用品を配置し、筐体正面側から必要な用品の点検，操作を可能にするとともに、設置面積を削減する。
【００１４】
また、本発明は、制御装置の装置筐体内を少なくとも２つの領域に分け、その一方の領域に前記制御装置を構成する弱電に関連する弱電用品系、他方の領域に強電に関連する強電用品系を収納し、また、前記筐体正面側に前開きする前面扉を取付け、かつ、当該前面扉から所定距離を隔てた後方の前記筐体内にリターンパネルを取付け、このリターンパネルには配線端子台を含む操作及び点検に関連する前記弱電用品系の一部の用品を配置し、各用品を合理的に配置し、設置面積を削減する。
【発明の効果】
【００１５】
本発明によれば、筐体の正面側から点検、操作などの作業を可能にし、かつ構成用品の合理的な配置により、機械室における制御装置の筐体背面側の点検等のスペースを省略でき、かつ設置面積を大幅に削減できる。
【発明を実施するための最良の形態】
【００１６】
以下、本発明の実施の形態について図面１及び図２を参照して説明する。なお、図１は装置筐体の上面図、図２は制御装置を構成する用品の一配置例を示す図である。
【００１７】
先ず、本発明に係るエレベータの制御装置は、図４に示す構成の制御装置に限らず、種々の構成をもった制御装置に適用できることは言うまでもない。ここでは、説明の便宜上、図４に示す構成の制御装置に適用した例について説明する。よって、図４と同一用品については同一符号を用いて説明する。
【００１８】
このエレベータの制御装置には、昇降路上部の機械室にはエレベータ乗りかご１２の運転制御を行う制御装置の装置筐体２１が設置され、この装置筐体２１の内部は仕切板２２によって左右２つの領域に分けられている。この仕切板２２は、単に気密状態の板体でもよいが、冷却効率を高める観点から左右領域間で相互に空気循環可能な複数の空間部を形成した板体が望ましい。
【００１９】
装置筐体２１の背面側には、少なくともコーナー部分をネジ止めするか、または取り外しできないように一体形成された筐体背面板２３で覆われている。そのため筐体２１の背面側を開けて点検できない状態になっている。
【００２０】
一方、装置筐体２１の正面側には観音開きの前面扉２４Ｌ及び２４Ｒが取り付けられている。なお、前面扉２４Ｌは、紙面方向に向かって筐体２１の左端縁部上下方向に回転可能に軸支され、また前面扉２４Ｒは同じく筐体２１の右端縁部上下方向に回転可能に軸支されている。なお、各前面扉２４Ｌ，２４Ｒは、例えば何れも中間の仕切板２２部分に回転可能な軸支する構成でもよいし、或いは筐体２１の左右端部の何れか一方の端部側と中間の仕切板２２部分とにそれぞれ回転可能な軸支機構部分を持たせた構成であってもよい。さらに、筐体２１内の２つの領域のうち、右側領域の中間部にリターンパネル２５が取り付けられている。このリターンパネル２５は、一端部側が仕切板２２に回転可能に軸支され、かつ仕切板２２側に比較的近い中間部分が折り曲げ回動可能な状態に形成されている。このリターンパネル２５は、常時は図示左端部の軸支側と反対側端部が筐体２１右側板内側に突設される支持部材２６に例えばネジ止めされている。従って、この状態においては、前面扉２４Ｒの背面側から所定の距離を隔てて配置されることになる。このリターンパネル２５は、必要に応じてネジを取り外した後、パネル２５左端部の軸支機構及びパネル２５中間部の折曲がり機構を利用し筐体２１の正面側外側に引き出し可能な構成となっている。
【００２１】
装置筐体２１内部は仕切板２２で左右領域に仕切られているが、図２に示すように仕切板２を挟んで右側領域には制御回路８を含む比較的弱電に関連する用品を収納する弱電用品系２７が収納されている。一方、装置筐体２１内部の左側領域には電源フィルタ３，リアクトル７を含む比較的強電に関連する用品を収納する強電用品系２８が収納されている。
【００２２】
ここで、筐体２１内部に収納される弱電用品系２７の用品配置は、右側領域の下段側に制御電源に関連するトランジスタ、整流器などの制御電源回路３１、中段側の図示右端側にブレーカ３２が取り付けられ、また筐体２１内の背面側ないし背面板２３にはユーザからの要請による各種のオプションに関する用品３３が取り付けられている。
【００２３】
さらに、リターンパネル２５の片面側または両面側には点検，操作時に利用する制御回路８等のマイコン基板を含んだ第１の制御回路３４，配線端子台，点検時に目視確認を必要とする電動機ブレーキ制御その他のリレーなどの第２の制御回路３５が取り付けられている。なお、リターンパネル２５は、用品の重さによるたわみを考慮し、第１の制御回路３４と第２の制御回路３５とに分けて個別に回動可能に取り付けた構成であってもよい。３６は床上げ用の基台である。
【００２４】
装置筐体２１内部に収納される強電用品系２８の用品配置は、左側領域の下段側にコンタクタ２，電源フィルタ３，リアクトル７を含んだ比較的重量の大きな動力電源回路３７、左側領域の中段側及び上段側にはインバータ６、コンバータ４等のスタック３８，３９が配置されている。４０は冷却ファン、４１は床上げ用基台である。
【００２５】
以上のような構成のエレベータの制御装置の機械室への据付作業等について説明する。
【００２６】
一般に、三相交流電源１の電源ラインの引き込み接続、テールコードの引き込み接続、電源フィルタ３の接続、電動機９への配線接続、各階乗場表示器等の配線接続等の据付接続作業は、装置筐体２１の下側や筐体２１の側面に引き込み用の開口部を形成し、この開口部を利用し、必要な配線の引き込み又は引出しを行い、かつ、装置筐体２１正面側からリターンパネル２５を引き出せば、配線端子台が整然と並設されているので、予め決められている配線端子台に接続すれば、特に背面板２３を開けて作業することなく、配線接続作業を行うことができる。なお、装置筐体２１の最初の設置時、背面板２３を開けて据付作業をするとか、例えば背面板２３の形成される開口部を通して配線の引き込み又は引出しを行うことは自由である。しかし、本発明においては、機械室に装置筐体２１を設置した後、背面板２３は完全に閉じた状態となるので、以後、点検，操作等のために開閉することはない。なお、点検，操作においては、筐体２１正面側からリターンパネル２５を引き出せば、点検，操作等に必要な用品を外部に取り出すことができ、装置筐体正面側から必要な作業を行うことができる。
【００２７】
従って、以上のような実施の形態によれば、装置筐体２１正面側に観音開きの前面扉例えば２４Ｒの後部側にリターンパネル２５を回動可能に配置し、このリターンパネル２５に配線端子台を含む用品の操作及び点検に関連する用品を配置するので、背面板２３を開閉することなく装置筐体２１の前面側だけで点検，操作を行うことが可能である。その結果、従来のように背面板２３を開閉して点検等を行う必要がなく、点検スペースを大幅に削減できる。このことは、一般に昇降路の機械室は狭い場所が多いが、点検スペースの大幅な削減を図ることができ、ひいてはスペースの有効活用を図ることができる。また、リターンパネル２５に点検，操作に関係する用品を配置することは、制御装置を構成する用品を合理的に配置でき、筐体占有面積の小型化にも大きく貢献する。
【００２８】
また、装置筐体２１内を２つの領域に分け、その一方の領域に制御装置を構成する弱電に関連する弱電用品系２７、他方の領域に強電に関連する強電用品系２８を収納する配置構成とすることにより、各用品を合理的に配置することができ、従来の作業のし易さに重点を置いたものに比べ、全体の用品配置スペースの縮小化を実現することができ、点検スペースの大幅な削減に加え、制御装置の設置面積を更に削減できる。
【００２９】
因みに、装置筐体２１が図３に示すような幅９００ｍｍ×奥行３５０ｍｍの寸法の場合、背面側の点検スペース及び正面側の点検等のスペースは装置筐体２１よりも多くのスペースを必要とするが、そのうち、背面側の点検スペースが不要となれば、図示した寸法から明らかなように本発明による点検スペースを含む筐体２１の占有面積は従来の占有面積に比べて３８％削減することができる。
【００３０】
さらに、前面扉２４Ｒ後部のリターンパネル２５に配線端子台を含む用品の操作及び点検に関連する用品を配置し、このリターンパネル２５の後部側に相当する装置筐体２１内の背面板２３にユーザの好みによるオプション用品３３を配置することにより、ユーザの要求に伴うオプション用品を、装置筐体２１を大幅に変更せずに容易に取り付けることができる。さらに、リターンパネル２５の両面に必要な用品を配置すれば、更に用品を合理的に配置でき、筐体２１の設置面積を削減化できる。
【００３１】
また、リターンパネル２５は、上下方向に複数に分割して用品を配置する構成とすれば、用品の重みによるたわみによる影響を抑えることができる。
【００３２】
なお、上記実施の形態では、装置筐体２１を左右に２つの領域に分け、その右側領域にリターンパネル２５を取り付けたが、２つの領域に分けずに前面扉２４Ｌ，２４Ｒの何れかの後部側に仕切板２２に代わる枠体などの支え体を取付け、この支え体に回転可能にリターンパネル２５を取付け、他端側をパネル支持部材２６にネジ止めする構成であってもよい。
【００３３】
また、筐体２１内を左右に２分する構成としたが、例えば筐体２１内を少なくとも上下２つの領域に分け、下側領域に強電に関連する強電用品系２８を収納し、上側領域に弱電に関連する弱電用品系２７を収納すれば、装置筐体２１の設置の安定性を確保することができる。
【００３４】
なお、本発明は、上記実施の形態に限定されるものでなく、その要旨を逸脱しない範囲で種々変形して実施できる。また、各実施の形態は組み合わせて実施することが可能であり、その場合には組み合わせによる効果が得られる。
【図面の簡単な説明】
【００３５】
【図１】本発明に係るエレベータの制御装置を示す上面図。
【図２】本発明に係るエレベータの制御装置における用品の配置例図。
【図３】本発明による制御装置と従来の制御装置との点検等を含む装置筐体の占有面積の比較を説明する図。
【図４】一般的な制御装置の構成を示す図。
【図５】従来の制御装置の装置筐体の上面図。
【符号の説明】
【００３６】
１…三相交流電源、２…コンタクタ、３…電源フィルタ、４…コンバータ、５…平滑コンデンサ、６…インバータ、７…リアクトル、８…制御回路、９…高負荷容量の電動機、１０…巻上機、１２…乗りかご、１３…つり合いおもり、２１…装置筐体、２２…仕切板、
２３…背面板、２４Ｌ，２４Ｒ…前面扉、２５…リターンパネル、２６…パネル支持部材、２７…弱電用品系、２８…強電用品系。
【図１】
2006021922.tif 000003
【図２】
2006021922.tif 000004
【図３】
2006021922.tif 000005
【図４】
2006021922.tif 000006
【図５】
2006021922.tif 000007